(57)【要約】【課題】比較的簡単で大きなコストをかけず、かつ耐久性に富んだ構造により引き手にかけた手の指はさみの防止を可能とする開口部装置を提供する。また、引き手にかけた手の指はさみの防止を可能とする構造によっては外観に悪影響が出ない開口部装置を提供する。【解決手段】建物開口部に装着された枠体１７ａ、１７ｂと、枠体に組み込まれた引き違い障子とを具備し、少なくとも外障子縦框３５の室内側には引き手４０が設けられ、引き違い障子により開口部を閉鎖した状態から外障子３１を内障子３２側に引き寄せたときに、外障子３１の召し合わせ框３６と当接されるストッパ１００が枠体に設けられた開口部装置１６において、ストッパ１００は室内側正面方向及び室外側正面方向から見えないように枠体上枠内の縦枠１７ｂとの接合部近傍に収容されており、外障子３１の召し合わせ框３６とストッパ１００とが当接された状態において、引き手４０が内障子召し合わせ框１３６の側方室内側に現れるよう構成する。【選択図】      図３
2004169472.tif 000002
【特許請求の範囲】
【請求項１】
建物開口部に装着された枠体と、前記枠体に組み込まれた引き違い障子とを備えた開口部装置であって、
少なくとも一の障子の縦框には引き手が設けられ、
前記引き違い障子により前記開口部を閉鎖した状態から、前記一の障子を他の障子側に引き寄せたときに、前記一の障子と当接されるストッパが前記枠体に設けられ、
前記一の障子と前記ストッパとが当接された状態において、前記引き手が前記他の障子の召し合わせ框の側方に現れるよう構成された開口部装置。
【請求項２】
建物開口部に装着された枠体と、前記枠体に組み込まれた引き違い障子とを具備し、
少なくとも外障子縦框の室内側には引き手が設けられ、
前記引き違い障子により前記開口部を閉鎖した状態から、前記外障子を内障子側に引き寄せたときに、前記外障子の召し合わせ框と当接されるストッパが、前記枠体に設けられた開口部装置であって、
前記ストッパは、室内側正面方向及び室外側正面方向から見えないように前記枠体上枠内の縦枠との接合部近傍に収容されており、
前記外障子の召し合わせ框と前記ストッパとが当接された状態において、前記引き手が前記内障子召し合わせ框の側方室内側に現れるよう構成された開口部装置。
【発明の詳細な説明】
【０００１】
【発明の属する技術分野】
本発明は、建物開口部に設けられた枠体に引き違い障子が組み込まれた開口部装置に関する。
【０００２】
【従来の技術】
建物の窓や縁側などの開口部には、サッシ枠を設けて、そのサッシ枠内に金属框で框組みした一対の引き違い障子を組み込んだものが多く用いられている。この引き違い障子の開閉を行うために、内障子、外障子それぞれの縦框に引き手が設けられている。そして通常、開口部の閉鎖状態において室内側から見た場合これら引き違い障子のうち外障子は左側に、内障子は右側に配置されている。
【０００３】
図８及び図９はこのような従来の引き違い障子の一例を示すものである。この例では、障子の各框は、ベースとなるアルミニウム枠と、その室内側露出部分を覆う樹脂枠とで複合サッシとして構成されている。また各障子は２枚のガラスが組み込まれた複層ガラス構造とされている。図８において、外障子１１０の縦框１１１の室内側には引き手１１３が設けられている。また、召し合わせ框１１２の右側面には枠当接部材１１４が設けられている。一方内障子１２０の縦框１２１にも室内側に引き手１２３が設けられている。図８は、障子が閉められ、外障子１１０の縦框１１１は、左縦枠１３０に当接された状態を示している。一方、内障子１２０の縦框１２１は、右縦枠１４０に当接されている。室内側から見た場合、外障子１１０の召し合わせ框１１２は、内障子１２０の召し合わせ框１２２の奥側に配置され、見えない位置にある。
【０００４】
今、図８の状態から外障子１１０の引き手１１３に手をかけて内障子１２０側、すなわち図の右方向に引き寄せて障子を開けようとする場合を考える。外障子１１０を十分に内障子１２０側に引き寄せて、図９に示されるように外障子１１０の枠当接部材１１４が、右縦枠１４０に当接される位置まで移動した場合、外障子１１０の引き手１１３は、完全に内障子１２０の召し合わせ框１２２の背後に配置されてしまうので、外障子１１０を右方向に移動させつつある状態の途中で、引き手１１３にかけていた手を離さなければならない。そのまま手をかけていると、指を外障子１１０と内障子１２０との間に挟まれることになるからである。
【０００５】
特許文献１には、外障子及び内障子のそれぞれの縦框に、引き手に加えてハンドルを設け、内障子のこれら引き手およびハンドルの裏面側すなわち外障子側にストッパを設けて、このストッパに外障子の召し合わせ框を当接させて、外障子の縦框に設けたハンドルが内障子の召し合わせ框に衝突しないようにした構造が開示されている。これは特許文献１に開示された発明の目的とは異なるものであるものの、このような構造により、引き手にかけた手の指を挟むことを防止することが可能である。
【特許文献１】
特開２００２−１８０７０６号公報
【０００６】
【発明が解決しようとする課題】
しかし、特許文献１に開示された構造は部品点数が多く、製造に時間とコストとがかかることが容易に想像される。また、内障子の外障子側に取り付けられたストッパは室外側に顕に現れているので、開口装置の外観に悪影響を与えかねない。さらに、障子の開放動作により上記ストッパに外障子の召し合わせ框が頻繁に衝突され、しかも衝突時には両障子が相対的にすれ違う方向に運動するのでストッパを内障子に取り付けている部分には大きな剪断応力が働くことになり、長期間の使用により衝突が何度も繰り返された場合故障の原因となることも考えられる。
【０００７】
そこで、本発明は、比較的簡単で大きなコストをかけず、かつ耐久性に富んだ構造により引き手にかけた手の指はさみの防止を可能とする開口部装置を提供することを第一の課題とする。また、本発明は、引き手にかけた手の指はさみの防止を可能とする構造によっては外観に悪影響が出ない開口部装置を提供することを第二の課題とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
請求項１の発明は、建物開口部に装着された枠体（１７ａ〜１７ｄ）と、枠体に組み込まれた引き違い障子とを備えた開口部装置であって、少なくとも一の障子（３１）の縦框（３５）には引き手（４０）が設けられ、引き違い障子により開口部（１５）を閉鎖した状態から一の障子を他の障子（３２）側に引き寄せたときに、一の障子と当接されるストッパ（１００）が枠体に設けられ、一の障子とストッパとが当接された状態において、引き手が他の障子の召し合わせ框（１３６）の側方に現れるよう構成された開口部装置（１６）により前記課題を解決する。
【００１０】
この開口部装置によれば、一の障子と枠体に設けられたストッパとが当接された状態において、他の障子の召し合わせ框の側方に引き手が現れるように構成されているので、引き手が他の障子の召し合わせ框の裏側に入り込むことがなく、引き手にかけた手の指が一の障子と他の障子とに挟まれるのを防止することが可能となる。また、ストッパは枠体に設けられているので、一の障子による衝突が繰り返されても故障することの少ない、耐久性に富んだ構造とすることができる。
【００１１】
請求項２の発明は、建物開口部に装着された枠体（１７ａ〜１７ｄ）と、枠体に組み込まれた引き違い障子とを具備し、少なくとも外障子縦框（３５）の室内側には引き手（４０）が設けられ、引き違い障子により開口部（１５）を閉鎖した状態から外障子（３１）を内障子（３２）側に引き寄せたときに、外障子の召し合わせ框（３６）と当接されるストッパ（１００）が枠体に設けられた開口部装置（１６）であって、ストッパは室内側正面方向及び室外側正面方向から見えないように枠体上枠（１７ｃ）内の縦枠（１７ｂ）との接合部近傍に収容されており、外障子の召し合わせ框とストッパとが当接された状態において、引き手が内障子召し合わせ框（１３６）の側方室内側に現れるよう構成された開口部装置により前記課題を解決する。ここに「外障子の召し合わせ框とストッパとが当接された状態」とは、外障子の召し合わせ框とストッパとが直接当接された状態のほか、外障子の召し合わせ框に取り付けられた部材を介して外障子とストッパとが当接されるような状態をも含む概念である。
【００１２】
この発明によれば、外障子の召し合わせ框と縦枠とが当接された状態において、内障子の召し合わせ框の側方室内側に引き手が現れるように構成されているので、室内側から見て、引き手が内障子の召し合わせ框の裏側に入り込むことがなく、引き手にかけた手の指が内障子と外障子との間に挟まれるのを防止することが可能となる。また、ストッパは、上枠内の縦枠との接合部近傍に収容されているので、枠体との堅固な固定が容易であり、外障子の召し合わせ框による衝突が繰り返されても故障することの少ない、耐久性に富んだ構造とすることができる。さらに、ストッパは室内側及び室外側正面方向から見えないように枠体上枠内の縦枠との接合部近傍に収容されているので、ストッパが外観に現れず、すっきりした外観を備えた開口装置を構成することができる。
【００１３】
本発明のこのような作用及び利得は、次に説明する実施の形態から明らかにされる。
【００１４】
【発明の実施の形態】
以下本発明を図面に示す実施形態に基づき説明する。以下に説明する実施形態においては、本発明にかかる開口部装置を建物開口部（窓）に適用した一例を示す。なお、以下の断面図において断面を示すハッチングは一部を除き省略している。
【００１５】
＜１＞  開口部の構成（図１〜図５）
まず、図１〜図５を参照しつつ建物開口部（窓）の構成を説明する。図１は、障子を閉めた状態の開口部の水平断面を示す図である。また、図２は、障子を開けた状態の開口部の水平断面を示す図である。図３は、図１の障子の部分を拡大して示す図、図４は、図２の障子の部分を拡大して示す図である。また、図５は、障子を開けた状態の開口部垂直断面を示す図である。
【００１６】
図１及び図２により、この建物を水平断面で見ると、室外側にはパネル材１０に胴縁１１を介してサイディング材１２が装着されている。上記パネル材１０の室内側は壁部１３が設けられている。壁部１３のさらに室内側には壁紙が帖着された壁パネル１４が備えられている。窓を構成すべき部分においてはこれら部材が所定の大きさに切り欠かれ、四辺形の開口部１５が形成されている。壁部１３の開口部１５側には木質補強部材１３ａが配置されている。また、開口部１５の室内側の壁部１３に面する部分には壁部１３を覆うように木質の額縁５及びケーシング６が取り付けられている。これら額縁５及びケーシング６が木質系材料にて形成されているので、開口部１５の意匠性が高められ、外観に高級感を与えている。互いに対向する開口部１５の四辺それぞれにはサッシ枠が取り付けられている。サッシ枠内には外障子と内障子が引き違い障子として組み込まれ、これらサッシ枠と引き違い障子とで開口部装置１６を形成している。
【００１７】
図１および図２並びに図３および図４にはサッシの左縦枠１７ａ、及び右縦枠１７ｂが示されている。図１および図２において、左縦枠１７ａ、及び右縦枠１７ｂとサイディング１２との間はバックアップ材１８ｂで補強されたシーラント１８で密封され、雨水や隙間風が侵入するのを防止している。さらに左縦枠１７ａ、及び右縦枠１７ｂは、上記シールされた位置より室内側寄りの２箇所で、互いに直交する方向に釘１９ａおよびねじ釘１９ｂにて壁部１３の木質補強部材１３ａに固定されている。左縦枠１７ａ、及び右縦枠１７ｂの室内側端部には額縁５が当接されている。左縦枠１７ａ、及び右縦枠１７ｂは、この額縁５にもねじ釘１９ｃにより固定されている。
【００１８】
一方、図５にはサッシの上枠１７ｃ及び下枠１７ｄが示されている。上枠１７ｃは、釘１９ｄによりパネル材１０に固定されている。上枠１７ｃはまた、これと直交する方向にねじ釘１９ｅにて壁部１３に固定されている。さらに上枠１７ｃは額縁５に対してもねじ釘１９ｆにより固定されている。これに対して下枠１７ｄは、釘１９ｇによりパネル材１０に、ねじ釘１９ｈにより額縁５にそれぞれ固定されている。以上が開口部１５の構成である。次に図３、図４、及び図５を参照しつつ、開口部装置１６の構成を説明する。
【００１９】
＜２＞  開口部装置（図３、図４、および図５）
前記したように開口部装置１６は、四辺のサッシ枠（左縦枠１７ａ；右縦枠１７ｂ；上枠１７ｃ；下枠１７ｄ）と、そのサッシ枠に組み込まれた外障子３１及び内障子３２からなる一対の引き違い障子とを備えている。さらに本実施形態においては外障子３１の室外側に網戸３３が設けられている。
【００２０】
図５の垂直断面図から明らかなように、下枠１７ｄには、外障子３１、内障子３２、及び網戸３３に対応する位置にレール５１ａ、５２ａ、５３ａが設けられている。これらのレール上に外障子３１、内障子３２、及び網戸３３それぞれに取り付けられた戸車５１ｂ、５２ｂ、５３ｂが配置されている。レール５１ａ、５２ａ、５３ａ上を戸車５１ｂ、５２ｂ、５３ｂが転動することによって、図３および４における左右方向に外障子３１、内障子３２、及び網戸３３が移動される。内障子３２が滑走するレール５２ａが取り付けられている下枠１７ｄの左縦枠１７ａとの接合部にはストッパ３４が設けられている。ストッパ３４は、内障子召し合わせ框側面に取り付けられているクレッセント錠（不図示）が左縦枠１７ａに衝突しないように所定位置から先への内障子の左方向への移動を規制している。
【００２１】
＜２＞  引き違い障子の構成（図３、および図４）
外障子３１は、上下の横桟並びに縦框３５及び召し合わせ框３６を備えている。これら上下の横桟並びに縦框３５及び召し合わせ框３６には、グレイジングチャネル３７ａ、３７ｂにより複層ガラス３８、３９が取り付けられている。複層ガラス３８、３９は、両者に狭持されるように配置されたスペーサ４４により所定の間隔を保っている。また縦框３５は、ベースとなるアルミニウム枠３５ａとその屋内側露出部分を覆う樹脂枠３５ｂとから構成されている。そして、上記アルミニウム枠３５ａはアルミニウムの押し出し型材にて成型され、また樹脂枠３５ｂは塩化ビニルやアクリル樹脂等を押し出し成型して形成されている。このようなベースとしてのアルミニウム枠と、その室内側露出部分を覆う樹脂枠とによる構成は、上下の横桟及び縦框３５に共通するものである。召し合わせ框３６には樹脂枠は取り付けられていない。
【００２２】
縦框３５の室内側の樹脂枠３５ｂには、引き手４０が形成されている。この引き手４０に手を掛けて外障子３１を図３の右方向に引き寄せることにより障子を開けることができる。縦框３５の左縦枠１７ａ側には上中下の３箇所に引き寄せピース４１が取り付けられている。引き寄せピース４１は、仮に縦框３５に反りが生じたような場合でも、左縦枠１７ａに設けられた突出片４２と係合することにより、左縦枠１７ａに対する縦框３５の建付け誤差を所定範囲に保つことができるように機能する部材である。
【００２３】
召し合わせ框３６の右縦枠１７ｂ側には、枠当接部材４３が取り付けられている。枠当接部材４３については後に詳しく説明する。
【００２４】
一方内障子３２は、上下の横桟並びに縦框１３５及び召し合わせ框１３６を備えている。これら上下の横桟並びに縦框１３５及び召し合わせ框１３６には、グレイジングチャネル１３７ａ、１３７ｂにより、スペーサ１４４を狭持するように配置された複層ガラス１３８、１３９が取り付けられている。また縦框１３５は、ベースとなるアルミ枠１３５ａとその屋内側露出部分を覆う樹脂枠１３５ｂとから構成されている。これらの構成は外障子３１の場合と同様である。
【００２５】
縦框１３５の樹脂枠１３５ｂには室内に向けて、引き手１４０が形成されている。この引き手１４０に手を掛けて内障子３２を図３の左方向に引き寄せることにより障子を開けることができる。縦框１３５の右縦枠１７ｂに面する側には上中下の３箇所に引き寄せピース１４１が取り付けられている。
【００２６】
＜３＞  ストッパ（図１〜図７）
次に、本発明の特徴的部分であるストッパ１００について説明する。図１及び２においては、水平断面図上に鎖線によりストッパ１００の平面視形状及び配置が表されている。図３及び図４においては水平断面図上に鎖線で囲まれたハッチングのエリアとしてストッパ１００の平面視形状及び配置が表されている。また、同時にストッパ１００に当接されるべき枠当接部材４３も、スマッジングが付されて表されている。
【００２７】
図５では、垂直断面図上に鎖線によりストッパ１００の垂直断面形状および配置が表されている。また図６（ａ）では、ストッパ１００が右縦枠１７ｂとともに水平断面図で表されている。図６（ｂ）では、ストッパ１００が上枠１７ｃとともに垂直断面図として表されている。さらに、図７ではストッパ１００そのものが斜視図として表されている。
【００２８】
図７から明らかなように、ストッパ１００は水平部１０１と垂直部１０２とが断面形状略「Ｌ」字状に組み合わされた外形をなしている。また、図１〜６からも明らかなように、ストッパ１００は、上枠１７ｃと右縦枠１７ｂとが接合されているコーナー部に取り付けられている。ストッパ１００の水平部１０１上面は上枠１７ｃの下面に、垂直部１０２の外側面１０２ａは右縦枠１７ｂに当接されている。
【００２９】
さらに、図５のＡ部詳細図に表されているように、上枠１７ｃには、フィン材（ガイドレール）１０５、１０６が垂直下方に向けて延設されている。一方、外障子３１及び内障子３２の上端にはフレ止め部材１０３、１０４が取り付けられている。フィン材（ガイドレール）１０５、１０６は、このフレ止め部材１０３、１０４のスリット内に挟持されるように収容されることによって、これらの障子が枠からはずれないよう、またガタツキが出ないようにされている。ストッパ１００は、仮に外障子を右方向にスライドさせて右縦枠１７ｂに当接する位置まで移動した場合、外障子３１と部分的に重なり合う位置（位置的干渉が生じる位置）にある。
【００３０】
以上のように構成された開口部装置１６において、図３の状態（外障子３１及び内障子３２により開口部１５が閉鎖されている。）から外障子３１の引き手４０に手をかけて内障子３２側、すなわち図の右方向に引き寄せて開口部１５を開放しようとする場合を考える。外障子３１を十分に内障子３２側に引き寄せた場合、図４に示されるように外障子３１の枠当接部材４３はストッパ１００に当接される。このとき外障子３１の引き手４０は、内障子３２の召し合わせ框１３６の左側部室内側に現れている。図９に示されている従来の開口部装置における場合とは異なり、引き手が内障子の召し合わせ框の背後にまで移動する手前で、枠当接部材４３とストッパ１００とが衝突して右方向への移動がそれ以上に進行されないからである。したがって、引き手４０に差し入れた手の指が外障子３１と内障子３２との間に挟まれることが防止される。
【００３１】
ストッパ１００は、上枠１７ｃと右縦枠１７ｂとのコーナー部に設けられている。したがって、繰り返し外障子３１の枠当接部材４３が衝突しても、その衝撃に耐えることができ、容易に脱落したり破損したりする故障が起こり難い。
【００３２】
また、ストッパ１００は上枠１７ｃの２枚のフィン材１０５、１０６により形成される隙間に配置されており、室内側及び室外側正面方向から見えない。したがって、ストッパ１００は外観に現れることがないので、開口部装置１６の意匠性に悪影響を与えることがない。
【００３３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。例えば以下の変形例は本発明の技術的範囲に包含されるものと理解されなければならない。
【００３４】
＜変形例＞
１．内障子固定の開口部装置
以上の実施形態においては、内障子３２は外障子３１と同様、例えば図３の左方向に移動可能となるように構成された場合について説明したが、内障子３２は固定され不動であって、外障子３１のみ可動であることとしてもよい。
２．４枚合掌障子を備えた開口部装置
図１０の水平断面図に示されるような、４枚の障子１３０ａ、１３０ｂ、１３１ａ、１３１ｂで構成される開口部装置において、合掌する外障子１３０ａ、１３０ｂの召し合せ部１３５ａ、１３５ｂに当接されるように左右の縦枠１３２ａ、１３２ｂのそれぞれにストッパ１３３ａ、１３３ｂを設けてもよい。このように構成すれば、左外障子１３０ａの引き手１３４ａに手をかけて左外障子１３０ａを図の左方向へと移動させても、指が左外障子１３０ａと左内障子１３１ａとにはさまれることが防止される。同様に、右外障子１３０ｂの引き手１３４ｂに手をかけて右外障子１３０ｂを図の右方向へと移動させても、指が右外障子１３０ｂと右内障子１３１ｂとにはさまれることが防止される。
【００３５】
【発明の効果】
以上に説明したように、請求項１の発明にかかる開口部装置によれば、一の障子と枠体に設けられたストッパとが当接された状態において、他の障子の召し合わせ框の側方に引き手が現れるように構成されているので、引き手が他の障子の召し合わせ框の裏側に入り込むことがなく、引き手にかけた手の指が一の障子と他の障子とに挟まれるのを防止することが可能となる。また、ストッパは枠体に設けられているので、一の障子による衝突が繰り返されても故障することの少ない、耐久性に富んだ構造とすることができる。
【００３６】
また、請求項２の発明によれば、外障子の召し合わせ框と縦枠とが当接された状態において、内障子の召し合わせ框の側方室内側に引き手が現れるように構成されているので、室内側から見て、引き手が内障子の召し合わせ框の裏側に入り込むことがなく、引き手にかけた手の指が内障子と外障子との間に挟まれるのを防止することが可能となる。また、ストッパは、上枠内の縦枠との接合部近傍に収容されているので、枠体との堅固な固定が容易であり、外障子の召し合わせ框による衝突が繰り返されても故障することの少ない、耐久性に富んだ構造とすることができる。さらに、ストッパは室内側及び室外側正面方向から見えないように枠体上枠内の縦枠との接合部近傍に収容されているので、ストッパが外観に現れず、すっきりした外観を備えた開口装置を構成することができる。
【図面の簡単な説明】
【図１】障子を閉めた状態の開口部水平断面を示す図である。
【図２】障子を開けた状態の開口部水平断面を示す図である。
【図３】図１の障子の部分を拡大して示す図である。
【図４】図２の障子の部分を拡大して示す図である。
【図５】障子を開けた状態の開口部垂直断面を示す図である。
【図６】上枠に取り付けられたストッパを示す図であり、（ａ）は水平断面図（ｂ）は垂直断面図である。
【図７】ストッパを示す斜視図であり、（ａ）は室外側右斜め上方、（ｂ）は室外側左斜め上方からの視点から表した図である。
【図８】閉められた状態の従来の引き違い障子を示す水平断面図である。
【図９】あけられた状態の従来の引き違い障子を示す水平断面図である。
【図１０】変形例の実施形態にかかる開口部装置を示す概略水平断面図である。
【符号の説明】
１５  開口部
１６  開口部装置
１７ａ、１７ｂ（縦枠）、１７ｃ（上枠）、１７ｄ  枠（枠体）
３１  外障子（一の障子）
３２  内障子（他の障子）
３５  縦框
３６  召し合せ框
４０  引き手
１００  ストッパ
１３６  召し合せ框
【図１】
2004169472.tif 000003
【図２】
2004169472.tif 000004
【図３】
2004169472.tif 000005
【図４】
2004169472.tif 000006
【図５】
2004169472.tif 000007
【図６】
2004169472.tif 000008
【図７】
2004169472.tif 000009
【図８】
2004169472.tif 000010
【図９】
2004169472.tif 000011
【図１０】
2004169472.tif 000012